(57)【要約】      （修正有）【課題】圧力応動弁を低温時に素早く開弁できるパイロット式スチームトラップを提供する。【解決手段】ピストン１０で一部を形成された圧力室１１と、圧力室１１を入口４側に連通する第１オリフィス２０と、圧力室１１を出口５側に連通する第２オリフィス１５と、第１オリフィス２０を入口４側の液位に応じて開閉し圧力室１１内に復水を導入して圧力を制御してピストン１０を駆動するパイロットフロート弁１９とを備えたものにおいて、第２オリフィス１５を低温時に閉じ高温時に開くバイメタル２２を配置する。パイロットフロート弁１９が第１オリフィス２０を開け低温復水が圧力室１１に導入されると、第２オリフィス１５がバイメタル２２により閉じられているので圧力室１１の圧力が素早く上昇し、ピストン１０がフロート８を持ち上げて主弁口６を素早く開弁し、復水を出口５に排出する。【選択図】 図１
2007303629.tif 000002
【特許請求の範囲】
【請求項１】
圧力応動弁の受圧変位壁で一部を形成された圧力室と、圧力室を入口側に連通する第１オリフィスと、圧力室を出口側に連通する第２オリフィスと、第１オリフィスを入口側の液位に応じて開閉し圧力室内に復水を導入して圧力を制御して圧力応動弁を駆動するパイロットフロート弁とを備えたものにおいて、第２オリフィスを低温時に閉じ高温時に開く温度応動部材を配置したことを特徴とするパイロット式スチームトラップ。
【発明の詳細な説明】
【技術分野】
【０００１】
本発明は蒸気配管系に発生する復水を排出するスチームトラップに関し、特に、入口側の液位をパイロットフロート弁で検出して圧力応動弁を駆動するパイロット式スチームトラップに関する。
【背景技術】
【０００２】
この種のパイロット式スチームトラップは、圧力応動弁の受圧変位壁で一部を形成された圧力室と、圧力室を入口側に連通する第１オリフィスと、圧力室を出口側に連通する第２オリフィスと、第１オリフィスを入口側の液位に応じて開閉し圧力室内に復水を導入して圧力を制御して圧力応動弁を駆動するパイロットフロート弁とを備えたものである。この場合、始動時の低温復水を素早く排出できない問題点があった。これは、パイロットフロート弁が開弁して低温復水を圧力室内に導入しても、始動時は蒸気系の圧力が低いので、圧力応動弁を開弁できないためである。
【０００３】
そこで、従来は実公平６−３７２７２号公報に示される解決策が用いられていた。これは、低温時に圧力応動弁を強制的に直接開弁せしめる温度応動部材を配置したものである。しかしながら、この従来のものにおいては、大きな力を発揮できる温度応動部材を用いなければ、低温時に圧力応動弁を開弁できない問題点があった。
【特許文献１】実公平６−３７２７２号公報
【発明の開示】
【発明が解決しようとする課題】
【０００４】
従って、本発明の技術的課題は、小さな力の温度応動部材を用いて低温時に素早く圧力応動弁を開弁できるパイロット式スチームトラップを提供することである。
【課題を解決するための手段】
【０００５】
上記の技術的課題を解決するために講じた本発明の技術的手段は、圧力応動弁の受圧変位壁で一部を形成された圧力室と、圧力室を入口側に連通する第１オリフィスと、圧力室を出口側に連通する第２オリフィスと、第１オリフィスを入口側の液位に応じて開閉し圧力室内に復水を導入して圧力を制御して圧力応動弁を駆動するパイロットフロート弁とを備えたものにおいて、第２オリフィスを低温時に閉じ高温時に開く温度応動部材を配置したものである。
【発明の効果】
【０００６】
本発明は、第２オリフィスを低温時に閉じ高温時に開く温度応動部材により低温時に圧力応動弁を開弁せしめるものであるので、小さな力の温度応動部材を用いて低温時に素早く圧力応動弁を開弁できるという優れた効果を生じる。
【発明を実施するための最良の形態】
【０００７】
本発明は、第２オリフィスを低温時に閉じ高温時に開く温度応動部材を配置したものである。そのため、パイロットフロート弁が開弁して低温復水を圧力室内に導入すると、第２オリフィスが温度応動部材により閉じられているので、圧力室の圧力が素早く上昇して圧力応動弁が素早く開弁する。温度応動部材は第２オリフィスを開閉するものであるので、小さな力のものを用いることができる。
【実施例１】
【０００８】
上記の技術的手段の具体例を示す実施例を説明する（図１と図２参照）。
本体１に蓋部材２を締結して内部に弁室３を有するトラップケーシングを形成する。トラップケーシングの上部に入口４と出口５を同一軸上に形成する。弁室３と出口５を連通する主弁口６を開けた弁座７を弁室３の下部側方に取付ける。弁室３内に主弁口６を開閉する中空球形のフロート８を自由状態で収容する。フロート８は圧力応動弁の一部を構成する。
【０００９】
弁室３の底壁で隔てて底蓋９との間に圧力応動弁の受圧変位壁としてのピストン１０を収容するピストン収容室を形成する。ピストン１０は圧力応動弁の一部を構成する。ピストン収容室はピストン１０で気密的に仕切られ、一方が圧力室１１を形成し、他方が出口側室１２を形成する。ピストン１０の上面に連結棒１３を取付ける。連結棒１３は圧力応動弁の一部を構成し、先端は弁室３の底壁を気密的に貫通して弁室３内に延び、受け板１４を介してフロート８に当接する。受け板１４は圧力応動弁の一部を構成する。圧力室１１と出口側室１２はピストン１０に開けた第２オリフィス１５を介して連結し、出口側室１２は出口側通路１６を介して出口５に連結する。
【００１０】
弁室３内には上端が開口し、下部に連通孔１７を開けた隔壁１８を設け、その入口４側に中空球形のパイロットフロート弁１９を自由状態で収容する。パイロットフロート弁１９は液面と共に浮上降下し、下部側方に形成した第１オリフィス２０を開閉し、パイロット通路２１を介して圧力室１１内に復水を導入して圧力を制御して圧力応動弁を駆動する。第２オリフィス１５の開口面積は第１オリフィス２０の開口面積よりも小さく形成する。ピストン１０に温度応動部材としてのバイメタル２２をビスで取付ける。バイメタル２２は低温時に平坦な形状に変形して第２オリフィス１５を閉じ、高温時に湾曲して第２オリフィス１５を開く。
【００１１】
始動時、圧力室１１内は低温であり、バイメタル２２は平坦な形状に変形して第２オリフィス１５を閉じている。入口４から流入してくる低温復水によりパイロットフロート弁１９が浮上して第１オリフィス２０を開ける。第１オリフィス２０が開けられると、入口４側の低温復水がパイロット通路２１を介して圧力室１１に導入される。低温復水が圧力室１１に導入されると、第２オリフィス１５がバイメタル２２により閉じられているので圧力室１１の圧力が素早く上昇し、ピストン１０がフロート８を持ち上げて主弁口６を素早く開弁し、復水を出口５に排出する。復水の温度が上昇してくると、バイメタル２２は湾曲して第２オリフィス１５を開ける。以降は周知のパイロット式スチームトラップの作動を繰り返す。
【図面の簡単な説明】
【００１２】
【図１】本発明の実施例のパイロット式スチームトラップの断面図である。
【図２】図１の圧力応動弁部分の拡大断面図である。
【符号の説明】
【００１３】
１  本体
２  蓋部材
３  弁室
４  入口
５  出口
６  主弁口
８  フロート
１０  ピストン
１１  圧力室
１２  出口側室
１５  第２オリフィス
１９  パイロットフロート弁
２０  第１オリフィス
２１  パイロット通路
２２  バイメタル
【図１】
2007303629.tif 000003
【図２】
2007303629.tif 000004